(57)【要約】【課題】本発明は、簡易便器の高さ調節作業を極めて簡単に行うことを課題とする。【解決手段】内側に複数個のダボ２３を設けた横長幅狭形状の位置合わせ具２２を脚枠６とは別体に準備し、便器本体枠５の左右側板３のダボ孔列１４の所定高さ位置のダボ孔１３を選択し、該位置合わせ具２２の複数個のダボ２３を該選択したダボ孔１３に嵌着して該左右側板３の所定高さ位置に該位置合わせ具２２を取り付け、該位置合わせ具２２の下縁に該脚枠６の脚板１８の上端を当接させて該脚枠６の上下取付け位置を決定し、該脚枠６の摺動スリット１９を介して外側から固定ボルト３８を該左右側板３のボルト孔１５に螺着して該脚枠６を該左右側板３に固定する。【選択図】    図５
2006087722.tif 000002
【特許請求の範囲】
【請求項１】
便器本体枠の左右側板の内側に脚枠を上下取付け位置調節可能に取り付けた簡易便器であって、
該左右側板の内側にはダボ孔の複数個を縦設したダボ孔列の複数列が設けられており、また、該左右側板には前後一対のボルト孔が設けられており、一方、脚枠は、底板と、該底板の前後に立設されている脚板とからなり、該脚板には摺動スリットがそれぞれ設けられており、更に、内側に複数個のダボを設けた横長幅狭形状の位置合わせ具を該脚枠とは別体に準備し、
該左右側板のダボ孔列の所定高さ位置のダボ孔を選択し、該位置合わせ具の複数個のダボを該選択したダボ孔に嵌着することによって該左右側板の所定高さ位置に該位置合わせ具を取り付け、該位置合わせ具の下縁に該脚枠の脚板の上端を当接させることによって該脚枠の上下取付け位置を決定し、該脚枠の摺動スリットを介して外側から固定ボルトを該左右側板のボルト孔に螺着することによって該脚枠を該左右側板に固定することを特徴とする簡易便器。
【発明の詳細な説明】
【技術分野】
【０００１】
本発明は、主として高齢者や体の不自由な人が室内で使用する簡易便器に関する。
【背景技術】
【０００２】
従来、高齢者や体の不自由な人などの使用者の体型に合わせて、便器本体の基脚部に脚部材を高さ調節可能とした簡易便器として、便器本体の基脚部には縦に複数個のダボ孔を兼ねたねじ孔を配設し、一方、脚部材には該ねじ孔に適合する位置にねじ素孔と該ねじ孔に嵌着されるダボとを設け、ガタツキを防止したものが提供されている（特許文献１参照）。
【０００３】
【特許文献１】特開２００３−３３９５７４号公報（第２−４頁、第４図）
【発明の開示】
【発明が解決しようとする課題】
【０００４】
しかしながら上記従来の構成では、脚部材の高さを調節する際に、脚部材のダボと該ダボを嵌着する基脚部のダボ孔を目視することができないため、高さ調節作業を簡単に行うことができないおそれがあるという問題があった。
【課題を解決するための手段】
【０００５】
本発明は上記従来の課題を解決するための手段として、便器本体枠５の左右側板３の内側に脚枠６を上下取付け位置調節可能に取り付けた簡易便器１であって、該左右側板３の内側にはダボ孔１３の複数個を縦設したダボ孔列１４の複数列が設けられており、また、該左右側板３には前後一対のボルト孔１５が設けられており、一方、脚枠６は、底板１７と、該底板１７の前後に立設されている脚板１８とからなり、該脚板１８には摺動スリット１９がそれぞれ設けられており、更に、内側に複数個のダボ２３を設けた横長幅狭形状の位置合わせ具２２を該脚枠６とは別体に準備し、該左右側板３のダボ孔列１４の所定高さ位置のダボ孔１３を選択し、該位置合わせ具２２の複数個のダボ２３を該選択したダボ孔１３に嵌着することによって該左右側板３の所定高さ位置に該位置合わせ具２２を取り付け、該位置合わせ具２２の下縁に該脚枠６の脚板１８の上端を当接させることによって該脚枠６の上下取付け位置を決定し、該脚枠６の摺動スリット１９を介して外側から固定ボルト３８を該左右側板３のボルト孔１５に螺着することによって該脚枠６を該左右側板３に固定する簡易便器１を提供するものである。
【発明の効果】
【０００６】
本発明の簡易便器１では、脚枠６とは別体に横長幅狭形状の位置合わせ具２２を準備し、該位置合わせ具２２を該左右側板３の所定高さ位置に取り付けた後、該位置合わせ具２２の下縁に該脚枠６の脚板１８の上端を当接させることによって該脚枠６の上下取付け位置を決定することができるので、高さ調節作業を極めて簡単に行うことができる。
【発明を実施するための最良の形態】
【０００７】
本発明を図１〜図５に示す一実施例によって説明する。
図１および図２に示すように、本実施例の簡易便器１は、前板２と左右側板３と背板４とからなる木製の便器本体枠５と、該便器本体枠５の左右側板３の内側に５段階に上下取付け位置調節可能に取り付けられる左右一対の脚枠６と、該便器本体枠５の上面に取り付けられる木製の座枠７と、該座枠７内に挿入懸架される便バケツ８と、該座枠７の後端部に跳ね上げ可能に枢着される便座９と、該便座９上において該便器本体枠５の後部上端に跳ね上げ可能に枢着される便蓋１０と、該便器本体枠５の左右側板３に取り付けられる左右一対の肘掛け枠１１と、該便器本体枠５の左右側板３の後端上部から立設される背もたれ枠１２とからなる。
【０００８】
図２〜図５に示すように、該便器本体枠５の左右側板３の内側には５個のダボ孔１３を縦設した２列のダボ孔列１４が設けられており、また、該左右側板３の内側には最下位置のダボ孔１３よりも下側に前後一対のボルト孔１５が設けられている。
【０００９】
該脚枠６は、後端部に移動用キャスター１６が取り付けられている底板１７と、該底板１７から立設されている前後一対の脚板１８とからなる。該前後一対の脚板１８の中央部には摺動スリット１９がそれぞれ設けられておりまた、該脚板１８の内側の中央部には５個の円形凹部２０がそれぞれ縦列して凹設されている。更に、該脚板１８の上面の中央部には前後方向に沿って嵌合凹溝２１がそれぞれ凹設されている。
【００１０】
本実施例では、該脚枠６とは別体に横長幅狭形状の位置合わせ具２２を準備する。
該位置合わせ具２２の内側には、該左右側板３のダボ孔１３に対応する２個のダボ２３が設けられている。また、該位置合わせ具２２の上面の中央部には把手凹部２４が設けられており、更に、該位置合わせ具２２の下面の中央部には前後方向に沿って嵌合凸条２５が凸設されている。
【００１１】
該便蓋１０は前後に二つ折り可能とされており、該便蓋１０を跳ね上げた状態で該背もたれ枠１２の下部を通り抜けて折畳み可能とされている。また、該便蓋１０の上面にはクッション部材２６が取り付けられており、該便蓋１０は座部として兼用することができるようにされている。
【００１２】
該肘掛け枠１１は、前後一対の肘掛け支板２７が垂設されている下側短肘掛け２８と、該下側短肘掛け２８の上に跳ね上げ可能に取り付けられる上側長肘掛け２９とからなる。該前後一対の肘掛け支板２７の中央部には摺動スリット３０がそれぞれ設けられており、一方、該便器本体枠５の左右側板３には３個のボルト孔３１が縦列して設けられている。
そして、該左右側板３の３個のボルト孔３１のうち１個のボルト孔３１を選択するとともに、該肘掛け枠１１を該便器本体枠５に対して上下に摺動させて所望な高さに調節した後、該肘掛け支板２７の摺動スリット３０を介して固定ボルト３２を該選択したボルト孔３１に螺着することによって、該肘掛け枠１１は３段階に高さ調節可能とされている。
【００１３】
該背もたれ枠１２は、左右一対の背もたれ支柱３３と、該左右一対の背もたれ支柱３３の間に差し渡されるクッション性を有する背もたれ部材３４とからなる。該背もたれ支柱３３の上部には２個のボルト挿通孔３５が縦列して設けられており、該背もたれ部材３４の左右側面には４個のボルト孔３６が縦列して設けられている。
そして、該背もたれ部材３４の４個のボルト孔３６のうち２個のボルト孔３６を選択し、該背もたれ部材３４を該背もたれ支柱３３に対して所望な高さに調節した後、該背もたれ支柱３３のボルト挿通孔３５を介して固定ボルト３７を該選択したボルト孔３６に螺着することによって、該背もたれ部材３４は２段階に高さ調節可能とされている。
【００１４】
上記の簡易便器１の高さを調節する場合には、まず、該左右側板３のダボ孔列１４のうち所定高さ位置の前後一対のダボ孔１３を選択し、該位置合わせ具２２の前後一対のダボ２３を該選択したダボ孔１３にそれぞれ嵌着して、該左右側板３の所定高さ位置に該位置合わせ具２２を取り付ける。
次に、該位置合わせ具２２の下面に該脚枠６の脚板１８の上面を当接させて、該脚枠６の上下取付け位置を決定し、その後、該脚枠６の摺動スリット１９を介して外側から固定ボルト３８を該左右側板３のボルト孔１５に螺着することによって該脚枠６を該左右側板３に固定する。
【００１５】
上記の簡易便器１では、脚枠６とは別体に横長幅狭形状の位置合わせ具２２を準備し、該位置合わせ具２２を該左右側板３の所定高さ位置に取り付けた後、該位置合わせ具２２の下縁に該脚枠６の脚板１８の上端を当接させることによって該脚枠６の上下取付け位置を決定することができるので、高さ調節作業を極めて簡単に行うことができる。
【００１６】
また、上記の簡易便器１では、位置合わせ具２２を最上位置に取り付けると、該位置合わせ具２２の上面が座枠７の下面に当接することとなるが、該位置合わせ具２２には把手凹部２４が設けられているので、使用者は該把手凹部２４から手を差し込んで該位置合わせ具２２を取り外す際の手掛りとすることができる。
【００１７】
更に、該脚板１８の上面の中央部には前後方向に沿って嵌合凹溝２１が凹設されており、該位置合わせ具２２の下面の中央部には前後方向に沿って嵌合凸条２５が凸設されているので、該位置合わせ具２２の下面に該脚枠６の脚板１８の上面を当接させた際に、該位置合わせ具２２の下面の嵌合凸条２５と該脚板１８の上面の嵌合凹溝２１とが相互に嵌合し、該脚枠６が左右方向にがたつくのを防止することができる。
【００１８】
また更に、該脚板１８の内側の中央部には５個の円形凹部２０が縦列して凹設されているので、該脚枠６の摺動スリット１９を介して外側から固定ボルト３８を該左右側板３のボルト孔１５に螺着する際に、該固定ボルト３８のノブ部３９の内側に設けられている円形凸部４０が該脚板１８の円形凹部２０に嵌合し、螺着した固定ボルト３８がぐらつくのを防止することができる。
【００１９】
以上、本発明の実施の形態を実施例により説明したが、本発明の範囲はこれらに限定されるものではなく、請求項に記載された範囲内において目的に応じて変更・変形することが可能である。
【産業上の利用可能性】
【００２０】
本発明は、高さ調節作業を極めて簡単に行うことができる簡易便器として、産業上利用することが出来る。
【図面の簡単な説明】
【００２１】
【図１】簡易便器の斜視図である。
【図２】左右側板に脚枠を取り付けた様子を示す説明斜視図である。
【図３】左右側板と脚枠と位置合わせ具の分解斜視図である。
【図４】簡易便器の説明側断面図である。
【図５】左右側板に脚枠を取り付けた様子を示す説明正断面図である。
【符号の説明】
【００２２】
１  簡易便器
３  左右側板
５  便器本体枠
６  脚枠
１３  ダボ孔
１４  ダボ孔列
１５  ボルト孔
１７  底板
１８  脚板
１９  摺動スリット
２２  位置合わせ具
２３  ダボ
３８  固定ボルト
【図１】
2006087722.tif 000003
【図２】
2006087722.tif 000004
【図３】
2006087722.tif 000005
【図４】
2006087722.tif 000006
【図５】
2006087722.tif 000007